(57)【特許請求の範囲】
【請求項１】
伸縮性を有する芯材を伸縮性を有するカバー材で覆うことでベルト部を形成し、前記ベルト部を内周ベルト部と外周ベルト部との二層に重ねたベルト本体を有しており、外周ベルト部の伸長率が内周ベルト部の伸長率よりも大きく、内周ベルト部の伸長率が８％から１２％及び外周ベルト部の伸長率が１３％から１７％であって、前記ベルト本体の伸長率が４％から８％であり、更には引っ張り荷重を加えて荷重を除いた１時間後のベルト本体の伸長回復率が９３．７％以上であることを特徴とするストレッチベルト。
【発明の詳細な説明】
【０００１】
【発明の属する技術分野】
本発明は伸縮性を有するベルト（以下、ストレッチベルトとする）に関するものである。
【０００２】
【従来の技術】
従来よりベルトは、着用者のウエストサイズに合わせて腰部を締め付けて、衣服を保持する目的で使用されており、一般の衣服に限らず野球用ユニフォームやゴルフ用スラックス等のスポーツ用衣服にも使用されている。
しかし、動作の中で（特にスポーツをする際には）、屈んだ際や腹部に力を入れた際にはウエストサイズが大きくなる。また、食事を済ませた後には腹部が膨んだ状態となるなど、同一の着用者であってもウエストサイズは一定ではない。
ウエストサイズが大きくなった際に、スラックス等の衣服やベルトを締めたままの状態にしておくと腹部が圧迫され、苦しくなったり不快に感じるだけでなく、健康を害する原因となるものであった。
しかし、ウエストサイズが大きくなる場合ごとにスラックス等のボタンやホックを外すとともに、ベルトのバックル部を操作してベルトを緩めることは（特にスポーツをする際には）大変面倒である。
そのような問題を解決するため、ウエスト部分の一部または全部に伸縮自在な布地を用いたスラックス等も見られるが、それを保持するベルトに伸縮性がなければ、その特性は十分に発揮されない。
従って、前記のスラックス等の特性を阻害しない目的で、また、ベルトへの余分な張力や腹部への圧迫を和らげる目的で各種のストレッチベルトが見られるようになった。
【０００３】
ベルト部全体に伸縮性を持たせたストレッチベルトとしては、例えば、特開昭６３−２１１３１０号には、合成皮革、天然皮革、繊維等の伸縮可能な素材からなる内芯を、ウレタンシートや合成ゴム等の伸縮可能な素材からなる内外皮で包被し、その周縁をポリエステル糸などの伸縮可能な糸で縫着し、ベルト全体を伸縮可能にした衣服用ベルトが開示されている。
しかしながら、特開昭６３−２１１３１０号の発明では、伸縮性は十分であったが、逆に伸びすぎる傾向があり、ベルトとして必要なホールド性に欠けるという問題があった。また、繰り返しの使用によってベルト部が伸びきってしまい、伸縮性とフィット性が低下するとともに、伸びた部分が細くなりベルトが型崩れを生じるなど強度面でも問題があった。
【０００４】
他にも、特開平１０−２８０２１９号のようなベルト部の一部に伸縮性を持たせたストレッチベルトや特開平１０−２５１９１０号のようなバックル部の構造を工夫し伸縮性を持たせたストレッチベルトが見られる。
しかし、前記のベルト部の一部に伸縮性をもたせたストレッチベルトは、外観を考慮すると伸縮部材を隠すための舌片等を別途設ける必要があり、その分の製造コストと手間が余計にかかるといった問題があった。
また、前記のバックル部の構造を工夫し伸縮性を持たせたストレッチベルトでは、伸縮性を持たせるためにバックル本体内に主に伸縮用のばね等を配置しているが、ばね等の伸びが大きくないために全般的に伸縮性が不十分であり、加えてバックル部の構造が複雑となり製造コストがかかるといった問題があった。
【０００５】
【発明が解決しようとする課題】
そこで本発明は、上記従来技術の問題点を解決し、十分な伸縮性を持ちながらも適度に締め付ける力を有することで、ホールド性とフィット性を備え、また繰り返し使用しても型崩れしない強度を有するストレッチベルトを提供することを目的とする。
【０００６】
【課題を解決するための手段】
前記課題を解決するために本発明は、伸縮性を有する芯材を伸縮性を有するカバー材で覆うことでベルト部を形成し、前記ベルト部を内周ベルト部と外周ベルト部との二層に重ねたベルト本体を有しており、外周ベルト部の伸長率が内周ベルト部の伸長率よりも大きく、内周ベルト部の伸長率が８％から１２％及び外周ベルト部の伸長率が１３％から１７％であって、前記ベルト本体の伸長率が４％から８％であり、更には引っ張り荷重を加えて荷重を除いた１時間後のベルト本体の伸長回復率が９３．７％以上であることを特徴とするストレッチベルトである。
【００１２】
【発明の実施の形態】
本発明の説明や表中に用いる伸長率及び伸長回復率は、芯材、カバー材、ベルト部等において、ベルト長さ方向（ウエスト周り方向）の伸長とその回復に関するものである。
伸長率とは一定の引っ張り荷重が加わった際の元の長さに対する伸長の割合を示しており、伸長回復率とは引っ張り荷重を除いた後、前記の伸長がどれだけ元の長さに回復したかの割合を示している。
例えば、元の長さが１０００ｍｍのベルト部が１１００ｍｍに伸びた後、１００３ｍｍの長さまで回復した場合は、
元の長さ１０００ｍｍに対して伸びが１００ｍｍであるので、伸長率は１０．０（％）であり、１００ｍｍの伸びのうち、９７ｍｍの伸びが回復しているので、伸長回復率は９７．０（％）である。
【００１３】
図１は本発明のストレッチベルト１を示す斜視図であり、図２は図１中のＸ面による断面拡大図である。
説明の簡略化のために、内周ベルト部２の芯材を内芯材２Ａ、内周ベルト部２のカバー材を内カバー材２Ｂ、外周ベルト部３の芯材を外芯材３Ａ、外周ベルト部３のカバー材を外カバー材３Ｂとする。
【００１４】
内周ベルト部２の構成について説明すると、
内芯材２Ａに用いる素材は、合成ゴム、天然ゴム、ポリウレタン等からなる織編物或いはポリエステル、ナイロン等の加工糸からなる織編物といった伸縮性を有する任意の素材から適宜選択できる。内芯材２Ａは、内周ベルト部２のベルト長さ方向の全長に渡って芯材として配置される。
内カバー材２Ｂに用いる素材は、天然皮革、合成皮革、布帛等の伸縮性を有する任意の素材から適宜選択できるが、外観、強度および伸縮性を考慮すると、天然皮革、合成皮革が好ましい。
また、天然皮革、合成皮革には、同一の素材でも縦方向や横方向などの方向によって伸長率の異なる素材がある。このような素材は、裁断する方向を使い分ければ、同一の素材であっても異なる伸長率のカバー材を得ることができる。
内芯材２Ａを内カバー材２Ｂで全面的に覆い、内芯材２Ａと内カバー材２Ｂを固定することで内周ベルト部２は完成する。両者の固定方法としては、縫着、接着、熱圧着、熱融着等が好ましい。ここでいう接着とは接着剤による接着と両面テープによる接着の両方を含む。前記の方法を単独で又は複数を組み合わせて内芯材２Ａと内カバー材２Ｂとを固定する。また、縫着する際の糸に関しては、伸縮性を有する糸を用いればベルト部の伸縮を阻害することがなく、また逆に伸縮性を有しない糸を用いればベルト部の伸長が抑えられるのでベルト部のホールド性を上げることができる。
このように縫着に用いる糸の伸縮性を適宜選択すれば、ベルト部の伸長率を調整することができる。
【００１５】
また、外周ベルト部３の構成については、内周ベルト部２と外周ベルト部３とは基本的に同様の構成であるので、内周ベルト部２と同様の手段を用いて外周ベルト部３を形成する。
【００１６】
前記のように形成した内周ベルト部２と外周ベルト部３とを二層重ねて固定し、ベルト本体２３を形成する。両者の固定方法としては、縫着、接着、熱圧着、熱融着等が好ましい。ここでいう接着とは接着剤による接着と両面テープによる接着の両方を含む。前記の方法を単独で又は複数を組み合わせて内周ベルト部２と外周ベルト部３とを固定する。縫着する際の糸に関しては、伸縮性を有する糸を用いればベルト本体２３の伸縮を阻害することがなく、また逆に伸縮性を有しない糸を用いればベルト本体２３の伸縮が抑えられるのでベルト本体２３のホールド性を上げることができる。
前記の縫着に用いる糸の伸縮性を適宜選択すれば、ベルト本体２３の伸長率を調整することができる。
図１及び図２は、伸縮性を有する糸４を用いて、ベルト本体２３の上縁部と下縁部とをベルト長さ方向の全長にわたって縫着し、内周ベルト部２と外周ベルト部３とを固定した場合である。
また、内周ベルト部２と外周ベルト部３とを二層重ねて固定する際は、外観や強度を考慮すれば、図２に示すように、内カバー材の繋ぎ目２Ｃと外カバー材の繋ぎ目３Ｃはベルト本体２３の内側に隠れるように固定することが好ましい。
図３に示すように、内カバー材２Ｂと外カバー材３Ｃはそれぞれ折り返し部２Ｄ、３Ｄだけが、ベルト本体２３の内側に隠れるようにしてもよい。このようにすれば、カバー材に使う素材の材料費を軽減できる。
ベルト本体２３の端部にはバックル５等のベルト固定用部材を設置する。
【００１７】
次に、内周ベルト部２と外周ベルト部３の両ベルト部の伸長率について説明する。
両ベルト部の伸長率は同じ値であっても良いが、外周ベルト部３の伸長率が内周ベルト部２の伸長率より大きいほうが好ましい。
外周ベルト部３のウエスト周りの径は、内周ベルト部２のウエスト周りの径に比べて若干大きいが、外周ベルト部３の伸長率を内周ベルト部２の伸長率よりも大きくすれば、着用者がベルトを装着する際にベルト本体２３が無理なく伸長するので、余分な張力を防止できる。
【００１８】
外周ベルト部３の伸長率を内周ベルト部２の伸長率よりも大きくする手段としては、例えば、内芯材２Ａと外芯材３Ａに同じ素材を用いるなど、両芯材の伸長率が等しい場合は、外カバー材３Ｂの伸長率を内カバー材２Ｂの伸長率より大きな値にすればよい。このようにすれば、外周ベルト部３の伸長率が内周ベルト部２の伸長率よりも大きくなる。
或いは、内カバー材２Ｂと外カバー材３Ｂに同じ素材を用いるなど、両カバー材の伸長率が等しい場合は、外芯材３Ａの伸長率を内芯材２Ａの伸長率より大きな値にすればよい。このようにすれば、外周ベルト部３の伸長率が内周ベルト部２の伸長率よりも大きくなる。
前記の場合以外でも、外周ベルト部３の伸長率が内周ベルト部２の伸長率よりも大きくなる範囲であれば、それぞれが異なる伸長率の内芯材２Ａ、内カバー材２Ｂ、外芯材３Ａ、外カバー材３Ｂを適宜組み合わせてもよい。
【００１９】
次に、ベルト部を二層に重ねた際の伸長率について説明すると、
加わる引っ張り荷重が一定の場合、ベルト部を二層重ねたベルト本体の伸長率は、二層に重ねる前の一層のベルト部の伸長率よりも小さくなる。これは、ベルト部を二層とすることで、加わる引っ張り荷重は二本のベルト部の両方に分散されるので、それぞれのベルト部一本あたりに加わる引っ張り荷重が低減されるためである。
本発明でいえば、伸長率が５％から１５％の内周ベルト部と伸長率が１０％から２０％の外周ベルト部を二層に重ねたベルト本体の伸長率が２％から１０％と両ベルト部の伸長率よりも小さくなるのはそのためである。（それぞれの伸長率の好ましい値は省略。）
【００２０】
前記のように、ベルト本体に加わる引っ張り荷重は内周ベルト部２と外周ベルト部３とに分散するので、異なる伸長率の内周ベルト部２と外周ベルト部３とを種々組み合わせることで、ベルト本体の伸長率２３の調整が可能である。
そこで本願発明は、内周ベルト部２の伸長率を５％から１５％、さらに好ましくは８％から１２％とし、外周ベルト部３の伸長率を１０％から２０％、さらに好ましくは１３％から１７％とし、両者を重ねて二層とすることでベルト本体２３の伸長率を後述するように理想的な値である２％から１０％、さらに好ましくは４％から８％としたものである。
【００２１】
内周ベルト部２の伸長率が５％から１５％、さらには８％から１２％であることが好ましいのは、このような値であれば、内周ベルト部２はホールド性と伸長との両立が可能であるからである。
外周ベルト部３の伸長率が１０％から２０％、さらには１３％から１７％であることが好ましいのは、このような値であれば、外周ベルト部３は内周ベルト部２のホールド性と伸長とをサポートするとともに、ベルト本体２３全体のフィット性を高めることが可能であるからである。
前記のような伸長率の内周ベルト部２と外周ベルト部３とを二層重ねるとベルト本体２３の伸長率を理想的な値である２％から１０％、さらには４％から８％とすることができる。
このような値が好ましいのは、伸長率が２％より小さいと着用者のウエストサイズが大きくなった際にベルト本体２３のストレッチ性（伸び）が不十分となり、ベルトが着用者の腹部を圧迫するという欠点を生じるためである。また、伸長率が１０％よりも大きいと逆に伸長が十分過ぎるため、ベルトとして必要なホールド性に欠けてしまうためである。
さらにベルト本体２３の伸長率が４％から８％であれば、より理想的なストレッチ性（伸び）とホールド製を備えたストレッチベルトとすることができる。
【００２２】
また、伸長の回復に関しては、伸長回復率が大きい芯材またはカバー材を用いれば、ベルト部の伸長は回復するので、ベルトが伸びきってしまうことによる型崩れを防止することができる。本発明ではベルト部を二層に重ねることで、回復の効果をより高めることができる。
【００２３】
前記のように構成したストレッチベルトは、以下に示す効果がある。
ベルト本体２３は二層で構成されているため、従来の一層のものに比べて引っ張りに対する強度があり、繰り返し使用してもベルト本体２３が伸びきってしまうことを防止できる。従って伸びた部分が細くなりベルト本体２３が型崩れを生じるといったことがない。
内周ベルト部２と外周ベルト部３とが共に同じ伸長率であれば、ベルトを装着する際に、内周ベルト部２よりもウエスト周りの径が大きい外周ベルト部３には余分な張力が加わり型崩れの原因となるが、外周ベルト部３の伸長率を内周ベルト部２の伸長率よりも大きくすることで、装着の際にベルト本体２３が無理なく伸長し、そのような型崩れを防止できる。
また、何らかの理由で着用者のウエストサイズが大きくなった場合には、ベルト本体２３が伸長するが、その際に内周ベルト部２は比較的伸びが小さいのでベルト本体２３のホールド性を維持する役割を果たし、外周ベルト部３は比較的伸びが大きいのでベルト本体２３が無理なく伸長し、内周ベルト部２のホールド性と伸長とをサポートするとともに、ベルト本体２３のフィット性を高める役割を果たす。
【００２４】
【実施例】
本発明のストレッチベルトの実施例について説明する。
表１は本実施例に用いた芯材、表２は本実施例に用いたカバー材、表３は本実施例の内周ベルト部と外周ベルト部、表４は本実施例のベルト本体と従来品のベルト本体の各引っ張り試験の結果を示している。試験項目は引っ張り荷重を加えた際の伸長率及び試験後（荷重を除いて３０秒後及び１時間後）の伸長回復率である。
各引っ張り試験はＪＩＳ  Ｌ  １０９６  Ｂ法及びＢ−１法で行い、各試験における引っ張り荷重及び標線間距離は各表に記載の通りとした。
【００２５】
本実施例では、芯材には内芯材と外芯材ともに、表１に示す天然ゴム織物を用いる。
外カバー材と内カバー材には表２に示す合成皮革を用いるが、この合成皮革は表２からも分かるように、縦方向と横方向とで伸長率が異なり、内カバー材には縦方向（伸長率が小さい方向）がベルト長さ方向になるように配置し、外カバー材には横方向（伸長率が大きい方向）がベルト長さ方向になるように配置する。
このように構成すれば表３に示すように内周ベルト部の伸長率よりも外周ベルト部の伸長率が大きくなる。
表１に示すように芯材に用いた天然ゴム織物の伸長回復率は、１時間後で９９．５％と十分な回復力を示しており、また、表２に示すようにカバー材に用いた合成皮革の伸長回復率も１時間後で９１.８％および９２.２％と十分な回復力を示している。この芯材とカバー材の回復力によって、荷重を除いた後にベルト部の全体の伸長が回復する。また、ベルト部を二層重ねることで全体の回復力はさらにアップする。
本実施例では、両ベルト部において芯材とカバー材は、全面的に両面テープによって接着することで固定した。
【００２６】
【表１】
芯材：天然ゴム織物（試験荷重２９．４Ｎ、標線間距離５００ｍｍ）
0004560618.tif 000002
【００２７】
【表２】
カバー材：合成皮革（試験荷重２９．４Ｎ、標線間距離２００ｍｍ）
0004560618.tif 000003
【００２８】
【表３】
内周ベルト部と外周ベルト部（試験荷重２９．４Ｎ、標線間距離５００ｍｍ）
0004560618.tif 000004
【００２９】
次に、内周ベルト部と外周ベルト部を二層重ねてベルト本体を形成し、ポリエステルまたはナイロンからなる伸縮性を有する加工糸を用いてベルト本体の上縁部と下縁部とをベルト長さ方向の全長にわたって縫着した。
表４は本実施例のベルト本体と伸縮性を有しない従来品のベルト本体との比較である。
【００３０】
【表４】
実施例と従来品（試験荷重２９．４Ｎ、標線間距離５００ｍｍ）
0004560618.tif 000005
【００３１】
表４では、本実施例の伸長回復率に関しては、試験の３０秒後の８２．９％、１時間後の９３．７％という値しか示されていないが、試験の３時間後には、伸長回復率は９９．８％と略１００％になっており、荷重を除いた後のベルト本体の回復は十分である。
【００３２】
表４からも分かるように、本実施例は伸縮性を有しない従来のベルトよりも、伸長率と伸長回復率の両方において優れている。
また、表３に示す試験結果は、従来の一層からなるストレッチベルトの試験結果と見ることができる。表３からも明らかなように、従来の一層からなるストレッチベルトでは、伸長率が１１．７％もしくは１６．３％となり、伸長率が大き過ぎるのでベルトとして必要なホールド性に欠けるという欠点がある。
【００３３】
以下に示す３本のベルトＡ、Ｂ、Ｃを、さまざまな体型の１０人の被験者に一定期間着用してもらい、食事の前後やスポーツ等の動作を経験してもらった後、各ベルトのストレッチ性（伸び）とホールド性についてアンケートをとった。ベルトのストレッチ性（伸び）とホールド性がスラックスで阻害されないように、被験者には伸縮性を有するスラックスを着用してもらった。
Ａ．伸縮性を有しない従来のベルト（表４中の伸長率１．６％のベルト本体を有する）。
Ｂ．伸縮性を有する従来の一層からなるストレッチベルト（表３中の伸長率が１６．３％のベルト本体を有する）。
Ｃ．本実施例のストレッチベルト（表４中の伸長率が６．４％のベルト本体を有する）
【００３４】
【表５】
ストレッチ性に関するアンケート
0004560618.tif 000006
【００３５】
【表６】
ホールド性に関するアンケート
0004560618.tif 000007
【００３６】
表５および表６から分かるように、本実施例のストレッチベルト（Ｃ）が適度なストレッチ性（伸び）とホールド性とを両立できるのに対し、従来の伸縮性のないベルト（Ａ）は、ストレッチ性（伸び）が低くホールド性が高いため、着用者のウエストサイズが大きくなった場合、腹部への圧迫を解消するには、ベルトのバックル部を操作してベルトを緩めなければならない。また、従来の伸縮性を有する一層からなるストレッチベルト（Ｂ）はストレッチ性（伸び）が高くホールド性が低いため、着用者のウエストサイズが大きくなった場合の伸びは十分だが、逆に伸び過ぎる傾向があり、着用者のウエストサイズが普通の場合は、ベルトとして必要なホールド性を欠いてしまう。
【００３７】
【発明の効果】
本発明のストレッチベルトは、十分な伸縮性を持ちながらも適度に締め付ける力を有し、何らかの理由で着用者のウエストサイズが大きくなった際に、ベルト本体が伸長するので、腹部の圧迫等によって健康を害することがない。
ベルト本体は二層で構成されているため、従来の一層のものに比べて引っ張りに対する強度があり、繰り返し使用してもベルト部が伸びきってしまうことを防止できるので、伸びた部分が細くなることによるベルト本体の型崩れを防止できる。
また、ウエスト周りの径が大きい外周ベルト部の伸長率をウエスト周りの径が小さい内周ベルト部の伸長率よりも大きくすれば、装着の際にベルト本体が無理なく伸長し、余分な張力による型崩れを防止できる。
ベルト本体が伸長する際には、内周ベルト部は比較的伸びが小さいのでベルト本体のホールド性を維持する役割を果たし、外周ベルト部は比較的伸びが大きいのでベルト本体が無理なく伸長し、内周ベルト部のホールド性と伸長をサポートするとともに、ベルト本体のフィット性を高める役割を果たす。従って、従来のストレッチベルトにはなかったホールド性、フィット性を備えるストレッチベルトとすることができる。
【００３８】
【図面の簡単な説明】
【図１】図１は、本発明のストレッチベルトを示す斜視図である。
【図２】図２は、図１中のＸ面による断面拡大図である。
【図３】図３は、別の実施の形態の断面拡大図である。
【符号の説明】
１    ストレッチベルト
２３  ベルト本体
２    内周ベルト部
２Ａ  内芯材
２Ｂ  内カバー材
２Ｃ  繋ぎ目
２Ｄ  折り返し部
３    外周ベルト部
３Ａ  外芯材
３Ｂ  外カバー材
３Ｃ  繋ぎ目
３Ｄ  折り返し部
４    糸
５    バックル
【図１】
0004560618.tif 000008
【図２】
0004560618.tif 000009
【図３】
0004560618.tif 000010